(57)【要約】      （修正有）【課題】脚を天板内部に収納でき、収納時等の見た目が良い脚付き机を提供する。【解決手段】脚付き机１は、天板１１０両側に設けられた一対の脚体１２０、各脚体間に掛け渡される固定棒１３０を備え、天板が有する内部空間は隔壁１１２が仕切って各収納部１１１を構成し、各脚体は該収納部に収納可能に構成してある。脚体は、接地部１２１、支持脚、天板支持部、折り曲げ部１２４、嵌着部１２５、脚体切欠部１２６を備え、支持脚１２２と天板支持部１２３は折り曲げ部を介して連結してあり、上記脚体は折り曲げ時に、天板支持部は天板を内部から支持し、接地部及び各支持脚は机の脚を構成して、脚付き机の体をなすよう構成され、収納時に接地部と天板の表裏両面及び長手側両側面が面一又は略面一となる。【選択図】図１
0003127866.tif 000002
【実用新案登録請求の範囲】
【請求項１】
天板(110)と、該天板(110)の両側に脚(120)を備えた机(1)であって、
上記天板(110)の内部は空間部(111)を備え、該空間部(111)は各脚体(120)を収納可能に形成されており、
天板(110)内部に収納された上記各脚体(120)は、天板(110)内部から取り出した又は引き出したときに、折り曲げて支持脚として天板を支持できるよう構成されていることを特徴とする、
脚付き机。
【請求項２】
天板(110)と該天板(110)の両側に脚(120)を備えた机(1)であって、
上記天板(110)は、内部に空間部(111)を有し、天板(110)の両側には空間部(111)に通じる開口部(113)が形成されており、
該空間部(111)には、開口部から挿入された脚体(120)が引き出し可能に収納されており、
該脚体(120)は、天板(110)内部から引き出したときに天板内に残って天板(110)を支持する支持部(123)と、天板外に位置し、下方に折り曲げて支持部(123)を支える脚部(121,122)とから構成され、
支持部(123)と脚部(121,122)は折り曲げ部(124)を介して連結されていることを特徴とする、
脚付き机。
【請求項３】
取り出した又は引き出した脚部(121,122)の位置を固定する部材(130)を備えていることを特徴とする、
請求項１または請求項２記載の脚付き机。
【考案の詳細な説明】
【技術分野】
【０００１】
本考案は、脚付きの机に関する。更に詳しくは、脚を机の天板内部に収納できるように形成したものに関する。
【背景技術】
【０００２】
従来、脚付きの机については、運搬あるいは収納の便宜のため、脚を取り外すことができる構造または脚を折り畳むことができる構造が採用されているものが多数見受けられる。
【考案の開示】
【考案が解決しようとする課題】
【０００３】
しかし、上記脚付きの机のうち、脚を取り外すことができる構造のものについては、収納や片付けの際に取り外した脚を天板と別に保管しなければならないため、面倒であり、また収納場所を余分に必要としていた。
また、脚を折り畳むことができる構造のものについては、脚を折り畳んだ状態であっても天板の裏側に出っ張りが生じるので、見た目が良くないうえ、運搬時や保管時に当該出っ張りに手や足などの体をぶつける可能性があった。
【０００４】
（考案の目的）
そこで、本考案の目的は、運搬又は収納時において脚が邪魔にならないよう机の天板内部に収納でき、かつ、脚の収納時に見た目の良い、脚付き机を提供することにある。
【課題を解決するための手段】
【０００５】
上記目的を達成するために講じた本考案の手段は次のとおりである。
第１の考案にあっては、
天板(110)と、該天板(110)の両側に脚(120)を備えた机(1)であって、
上記天板(110)の内部は空間部(111)を備え、該空間部(111)は各脚体(120)を収納可能に形成されており、
天板(110)内部に収納された上記各脚体(120)は、天板(110)内部から取り出した又は引き出したときに、折り曲げて支持脚として天板を支持できるよう構成されていることを特徴とする、
脚付き机である。
【０００６】
第２の考案にあっては、
天板(110)と該天板(110)の両側に脚(120)を備えた机(1)であって、
上記天板(110)は、内部に空間部(111)を有し、天板(110)の両側には空間部(111)に通じる開口部(113)が形成されており、
該空間部(111)には、開口部から挿入された脚体(120)が引き出し可能に収納されており、
該脚体(120)は、天板(110)内部から引き出したときに天板内に残って天板(110)を支持する支持部(123)と、天板外に位置し、下方に折り曲げて支持部(123)を支える脚部(121,122)とから構成され、
支持部(123)と脚部(121,122)は折り曲げ部(124)を介して連結されていることを特徴とする、
脚付き机である。
【０００７】
第３の考案にあっては、
取り出した又は引き出した脚部(121,122)の位置を固定する部材(130)を備えていることを特徴とする、
第１または第２の考案に係る脚付き机である。
【０００８】
「空間部」は、例えば、両側が開口した角筒状の天板内部に構成されたものが挙げられるが、これに限定するものではなく、例えば、下部が全面にわたって開口されている断面視門型の天板内部に構成されたもの等であってもよい。
【０００９】
「取り出した又は引き出した脚体の位置を固定する部材」は、例えば、各脚部に掛け渡して脚の位置を固定する棒状体が挙げられるが、これに限定するものではなく、例えば、各脚部に設けられた折り曲げ部を動かないようにするロック機構等の公知手段であってもよい。
【００１０】
（作  用）
本考案に係る脚付き机の作用を説明する。なお、ここでは、本考案の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１１】
まず、脚付き机の天板(110)の内部から、各脚体(120)を取り出す又は引き出す。
そして、取り出した又は引き出した各脚体(120)を天板(110)の下方に折り曲げると、各脚体(120)は天板を支持し、脚付き机としての体をなす。
また、収納時又は運搬時等には、天板(110)内の空間部(111)へ、各脚体(120)を真っ直ぐに伸ばして収納する。
【００１２】
天板(110)は、内部に空間部(111)を有し、天板(110)の両側には空間部(111)に通じる開口部(113)が形成されており、該空間部(111)には開口部から挿入された脚体(120)が引き出し可能に収納されており、該脚体(120)は、天板(110)内部から引き出したときに天板内に残って天板(110)を支持する支持部(123)と、天板外に位置し、下方に折り曲げて支持部(123)を支える脚部(121,122)とから構成され、支持部(123)と脚部(121,122)は折り曲げ部(124)を介して連結されているものにあっては、まず、脚付き机(1)の天板(110)内から、各脚体(120)の支持部(123)を折り曲げ部(124)の箇所まで引き出す。そして、伸ばした状態の支持部(123)を、折り曲げ部(124)の箇所から下方に折り曲げる。支持部(123)は、天板(110)内に残す。これにより、支持部(123)は天板内に残って天板(110)を支持し、脚部(121,122)は天板外に位置し、支持部(123)を支え、脚付き机としての体をなす。
また、収納時又は運搬時等には、支持部(123)と脚部(121,122)を折り曲げ部(124)にて真っ直ぐに伸ばし、天板(110)内の空間部(111)に、伸ばした各脚(120)の支持部(123)と脚部(121,122)を挿入して収納する。
【００１３】
取り出した又は引き出した脚部(121,122)の位置を固定する部材(130)を備えているものは、該部材(130)により、取り出した又は引き出した各脚(120)の位置を固定する。
【００１４】
なお、取り出した又は引き出したときに折り曲げた上記各脚体については、例えば、取り出した脚体の支持部を机の天板裏に形成したほぞに嵌着する構造であってもよいし、天板裏に形成したネジ孔と脚体の支持部に形成したネジを螺合して取着する構造など、公知手段を採用したものであってもよい。
【考案の効果】
【００１５】
本考案によれば、次の効果を奏する。
（１）運搬又は収納時において、脚体が邪魔にならないよう天板内に収納できる脚付き机を提供することができる。これによって、運搬時に運搬者の体が天板裏の折り畳んだ脚にぶつかったり、立てかけて収納している場合に、天板裏の折り畳んだ脚にぶつかったりしにくくなる。また、脚の収納時に見た目が良い。
（２）また、脚体又は脚体の一部を引き出す又は取り出すだけで脚付きの机が構成され、運搬又は収納時においては脚体を伸ばして天板内の空間部に挿入するだけで脚体を収納できるので、工具等が不要であり、作業を手早く行うことができる。
（３）取り出した又は引き出した脚の位置を固定する部材を備えているものは、脚を取り出した又は引き出した際の安全性及び安定性を高めることができる。
【考案を実施するための最良の形態】
【００１６】
本考案の実施の形態を図面に基づき更に詳細に説明する。
図１は本考案に係る脚付き机の斜視図、
図２は本考案に係る脚付き机の内部に脚部を収納した状態の内部構造を破線で示した斜視図、
図３は本考案に係る脚付き机の内部構造を破線で示し、脚の動きを一点鎖線で示した側面図、である。
【００１７】
まず図１に示す脚付き机１について説明する。なお、本考案のうち、同等の構造については同じ符号を付し、繰り返しの説明は省略する。
脚付き机１は、天板１１０と、天板１１０の両側に設けられる一対の脚体１２０と、一対の脚体１２０間に掛け渡される固定棒１３０を備えている。天板１１０内部には収納部１１１が形成されており、この収納部１１１に各脚体１２０は収納可能に構成されている。なお、本実施の形態においては、上記脚付き机１は主に木材により形成されている。
脚付き机１はあらまし上記構成であるが、各部について以下更に詳述する。
【００１８】
天板１１０は、平面視長方形の板状体であって、内部に空間を有し、長手方向の両端部にそれぞれ開口部１１３を備えた扁平な角筒状に形成されている。上記内部の空間には、長手方向略中央であって短手方向の全長にわたって空間を仕切る隔壁１１２が設けられており、当該仕切られた各空間はそれぞれ収納部１１１を構成する（図１及び図２参照）。
【００１９】
一対の脚体１２０は、接地部１２１と、支持脚１２２と、天板支持部１２３と、折り曲げ部１２４と、嵌着部１２５と、脚体切欠部１２６を備えており、各部について以下詳述する。なお、各脚体１２０はそれぞれ同様の構造を備えている。
【００２０】
接地部１２１は角棒により形成されている。
該接地部１２１は、脚体１２０を天板１１０内に収納したときに、収納部１１１内部へ挿入されずに外部に露出し、露出した表面、裏面及び両側面は、天板１１０の表面、裏面及び長手方向側両側面と面一または略面一な状態となるよう形成されている（図２参照）。
【００２１】
脚体１２０を立てた状態（図１及び図３）において、接地部１２１上面には薄板状の嵌着部１２５が設けられている。
嵌着部１２５は、その外周縁部が収納部１１１開口部の内周縁部と略同じ大きさに形成されており、脚体１２０を天板１１０内に収納したときに、該嵌着部１２５と収納部１１１開口部の内周縁部ががたつきなく嵌着するよう形成されている。
嵌着部１２５の長手方向中央には、嵌合切欠部１２６が設けられている。
【００２２】
嵌着部１２５の長手方向両端には、角棒により形成された支持脚１２２がそれぞれ垂直方向に立設されている。また、角棒により形成された天板支持部１２３は、平面視コ字状に形成されている。
各支持脚１２２の上端部は平面視凹状に形成され、また、天板支持部１２３の下端部は平面視凸状に形成されており、上記凹凸部分を組み合わせ枢着して構成された折り曲げ部１２４を介して、各支持脚１２２と天板支持部１２３が連結されている。（図２参照）。
なお、該折り曲げ部１２４は、一方向にのみ折り曲げ可能であって、支持脚１２２と天板支持部１２３が側面視で略直角となる位置まで曲げることができるよう構成してある。（図３参照）。
【００２３】
固定棒１３０は、天板１１０の長手方向の長さよりやや長い角棒であって、その長手方向両端近傍には短手方向にわたって切り欠いて形成された固定棒切欠部１３１がそれぞれ形成されている。
なお、上記固定棒１３０は、不使用時において、天板１１０等と離して保管してもよいし、天板１１０と一体にして保管できるよう形成してもよい（例えば、天板１１０の裏側又は天板１１０の長手方向側面にネジ止め可能に形成する、或いは伸縮するバンド等で締着する、等）。
【００２４】
なお、本実施の形態においては、脚付き机１は主に木材により形成されているが、これに限定するものではなく、例えば、竹材、石材、合成樹脂、ステンレススチールやアルミニウム等の金属、あるいはこれらを組み合わせたものであってもよい。
【００２５】
（作  用）
図１乃至図３を参照して、脚付き机１の作用を説明する。
［組み立て時］
まず、脚付き机１を横にして、脚体１２０の接地部１２１を掴み、脚付き机１の天板１１０内から、伸ばした状態の脚体１２０をスライドさせて、折り曲げ部１２４の箇所まで引き出す。そして、引き出した脚体１２０の支持脚１２２を下方に向けて折り曲げ部１２４にて折り曲げる。反対側の脚体１２０も同様の手順で作業を行う。
この結果、脚体１２０は側面視逆Ｌ字状になり、天板１１０の収納部１１１内に留まった天板支持部１２３は、天板１１０を内部から支持し、接地部１２１及び各支持脚１２２は机の脚を構成するので、脚付き机としての体をなす（図１及び図３参照）。
その後、固定棒１３０を各脚体１２０の間に掛け渡し、各脚体１２０の嵌着部１２５に設けられた嵌合切欠部１２６と固定棒１３０の両端近傍に設けられた固定棒切欠部１３１をそれぞれ嵌合させ、各脚体１２０が動かないように位置を固定する。
【００２６】
［片付け、収納時又は運搬時］
まず、固定棒１３０を各脚体１２０から外し、脚付き机１を横にする。
次に、支持脚１２２及び天板支持部１２３が真っ直ぐになるよう伸ばして、天板１１０の収納部１１１の奥まで挿入すると、接地部１２１と収納部１１１の開口部１１３が当接して止まる（図２参照）。このとき、嵌着部１２５の外周縁部と収納部１１１の開口部１１３の内周縁部が嵌着し、がたつきが生じにくくなる。その結果、挿入した脚体１２０が収納部１１１から脱落しにくい。
なお、脚体１２０を天板１１０内に収納した状態において、該接地部１２１の表面、裏面及び両側面は、天板１１０の表面、裏面及び長手方向側両側面と面一または略面一な状態となる。（図２参照）。
【００２７】
この結果、脚付き机１は、運搬又は収納時において脚が邪魔にならないよう収納でき、運搬時に運搬者の体が天板裏の折り畳んだ脚にぶつかったり、立てかけて収納している場合に、天板裏の折り畳んだ脚にぶつかったりしにくくなる。また、脚の収納時に見た目が良い。
また、該脚付きの机１は、脚部１２０の組み立て及び収納作業の際に、工具等が不要であり、作業を手早く行うことができる。
そのほか、脚体を出していない状態であっても、床の間の飾り台等として、使用することもできる。
【００２８】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００２９】
【図１】本考案に係る脚付き机の斜視図。
【図２】本考案に係る脚付き机の内部に脚部を収納した状態の内部構造を破線で示した斜視図。
【図３】本考案に係る脚付き机の内部構造を破線で示し、脚の動きを一点鎖線で示した側面図。
【符号の説明】
【００３０】
１      脚付き机
１１０  天板
１１１  収納部
１１２  隔壁
１１３  開口部
１２０  脚体
１２１  接地部
１２２  支持脚
１２３  天板支持部
１２４  折り曲げ部
１２５  嵌着部
１２６  嵌合切欠部
１３０  固定棒
１３１  固定棒切欠部
【図１】
0003127866.tif 000003
【図２】
0003127866.tif 000004
【図３】
0003127866.tif 000005